(57)【要約】【課題】  サウンドホールの周縁を傷つけることおよび音質を損なうことを防止し、初心者であっても正しい姿勢で保持することができ、しかも取り付けが容易となる弦楽器保持補助具を提供する。【解決手段】  弦楽器保持補助具１００は、サウンドホール１２の周縁１２ａに引っかけるフック４０ａ、およびフック４０ａから弦楽器１０の正面に沿って延出し弦楽器１０の周面に接するように直角に屈曲するＬ字金具４０ｂを有するフック部材４０と、Ｌ字金具４０ｂのうち弦楽器１０の周面に接する棒体４０ｃに一端４２ａが取り付けられ、弦楽器１０の周面を支持して巻き掛けられるベルト４２と、ベルト４２の他端に取り付けられ、ヘッド１８に固定されるホルダ４８とを備える。【選択図】  図２
2010282106.tif 000002
【特許請求の範囲】
【請求項１】
正面にサウンドホールが形成された本体と、前記本体に一端が取り付けられたネックと、前記ネックの他端に取り付けられたヘッドと、前記サウンドホールを跨ぎ前記ヘッドおよび前記本体の間に張架された弦とを備える弦楽器に適用される弦楽器保持補助具であって、
前記サウンドホールの周縁に引っかけるフックと、前記フックから前記弦楽器の正面に沿って延出し前記弦楽器の周面側に屈曲する屈曲部材とを有するフック部材と、
前記屈曲部材のうち前記弦楽器の周面側に屈曲する部分に一端が取り付けられ、前記弦楽器の周面を支持して巻き掛けられる帯体と、
前記帯体の他端に取り付けられ、前記ネックまたは前記ヘッドに固定されるホルダとを備えることを特徴とする弦楽器保持補助具。
【請求項２】
請求項１において、
さらに、前記帯体のうち前記弦楽器の周面に接する面にストッパが形成されていることを特徴とする弦楽器保持補助具。
【発明の詳細な説明】
【技術分野】
【０００１】
本発明は、弦楽器の保持を補助する弦楽器保持補助具に係り、特に、サウンドホールの周縁を傷つけることおよび音質を損なうことを防止し、初心者であっても正しい姿勢で保持することができ、しかも取り付けが容易となる弦楽器保持補助具に関する。
【背景技術】
【０００２】
従来、弦楽器を保持する技術としては、例えば、非特許文献１記載の技術および特許文献１、２記載の技術が知られている。
【０００３】
非特許文献１記載のストラップは、プレイヤの首に掛けられる紐と、その紐を２つ折りにして折りの部分で緊結されたフックと、紐の両先端部に取り付けられた長さ調整具とを備える。ウクレレのサウンドホールの下部周縁にフックを引っかけ、ウクレレの正面に沿って紐を垂下させ、ウクレレの下部周面から背面側に紐を誘導し、フックとは反対側の紐の円環部をプレイヤの首に掛けることによりウクレレを保持することができる。紐の長さは、プレイヤの首の裏側にあたる長さ調整具を紐に沿ってスライドさせることにより調整する。
【０００４】
特許文献１記載のストラップは、三味線の下棹と中木との間を皮製のベルトと革ヒモで結び、ギター用のエンドピンを取り付け、ここにギター用の吊り下げストラップを接続することにより、三味線を肩に掛けて用いるものである。
【０００５】
特許文献２記載の楽器保持補助具は、扇形に成型した透明肉厚塩ビシートに、複数の軟質吸盤を搭載し基盤化して吸引力を強化し、基盤をギターの背面に圧着、合体した吸盤頭部の口金を、ネックループタイで牽引、ギターを体側前面に繋留するものである。
【先行技術文献】
【非特許文献】
【０００６】
【非特許文献１】“ウクレレストラップ”、［online］、平成２１年６月１日、イクラニ・ジャパン、［平成２１年６月１日検索］、インターネット＜URL：http://www.ikulani.com/shop/ukulele_accessory/ukulele_strap/ukulele_strap.html＞
【特許文献】
【０００７】
【特許文献１】実用新案登録第３１２６９６９号公報
【特許文献２】特開２００６−３０８８３７号公報
【発明の概要】
【発明が解決しようとする課題】
【０００８】
しかし、非特許文献１記載のストラップにあっては、ウクレレの下部周面を２本の紐で支持しているので、サウンドホールの下部周縁に引っかけたフックにウクレレの自重が掛かってしまう。そのため、サウンドホールの周縁に大きな負担がかかり、サウンドホールの周縁が傷つきやすいという問題があった。
【０００９】
また、ウクレレの下部周面を２本の紐だけで支持しているので、ウクレレの持ち方に自由度が高い。そのため、初心者が正しい姿勢でウクレレを保持することが容易ではないという問題もあった。
【００１０】
また、特許文献１記載のストラップにあっては、三味線の下棹と中木との間を皮製のベルトと革ヒモで結んでいるが、これをウクレレ等の弦楽器に適用する場合は、中木に相当する突起部材を本体に形成しなければならない。しかし、サウンドホールが形成された本体に突起部材を形成すると、音質に影響を与え、音質を損なう可能性があるという問題があった。
【００１１】
また、ベルトおよび革紐のほか、ギター用のエンドピンおよび吊り下げストラップも取り付ける必要があるので、取り付けが容易でないという問題もあった。
【００１２】
そこで、本発明は、このような従来の技術の有する未解決の課題に着目してなされたものであって、サウンドホールの周縁を傷つけることおよび音質を損なうことを防止し、初心者であっても正しい姿勢で保持することができ、しかも取り付けが容易となる弦楽器保持補助具を提供することを目的としている。
【課題を解決するための手段】
【００１３】
〔発明１〕  上記目的を達成するために、発明１の弦楽器保持補助具は、正面にサウンドホールが形成された本体と、前記本体に一端が取り付けられたネックと、前記ネックの他端に取り付けられたヘッドと、前記サウンドホールを跨ぎ前記ヘッドおよび前記本体の間に張架された弦とを備える弦楽器に適用される弦楽器保持補助具であって、前記サウンドホールの周縁に引っかけるフックと、前記フックから前記弦楽器の正面に沿って延出し前記弦楽器の周面側に屈曲する屈曲部材とを有するフック部材と、前記屈曲部材のうち前記弦楽器の周面側に屈曲する部分に一端が取り付けられ、前記弦楽器の周面を支持して巻き掛けられる帯体と、前記帯体の他端に取り付けられ、前記ネックまたは前記ヘッドに固定されるホルダとを備える。
【００１４】
このような構成であれば、サウンドホールの周縁にフックを引っかけると、フックから弦楽器の正面に沿って屈曲部材が延出し弦楽器の周面側に屈曲しているので、屈曲部材のうち弦楽器の周面側に屈曲する部分に一端が取り付けられた帯体を弦楽器の周面に巻き掛けることができる。そして、プレイヤの首の裏側を通じてプレイヤの両肩に帯体を架け渡し、帯体の他端に取り付けられたホルダをネックまたはヘッドに固定する。これにより、フックでサウンドホールの周縁を、帯体で弦楽器の周面をそれぞれ支持しながら、プレイヤは、弦楽器全体を保持することができる。
【００１５】
ここで、屈曲部材は、弦楽器の周面側に屈曲していればよく、例えば、弦楽器の周面に接するように屈曲していてもよいし、弦楽器の周面から所定角度立ち上がるように屈曲していてもよい。
【００１６】
また、屈曲部材としては、例えば、棒状の部材であってもよいし、板状の部材であってもよい。また、剛体からなる部材であってもよいし、可撓性を有する柔軟な部材であってもよい。
【００１７】
また、帯体の一端とは、帯体のうちある長さ部分の端部をいい、帯体の一端よりも長さ方向外側に帯体の余分が存在することも含まれる。帯体の他端についても同様である。すなわち、帯体の一部または全部により巻き掛けを実現することができればよい。帯体の一部により巻き掛ける場合、帯体の一端および他端に余分が存在する場合、帯体の一端にのみ余分が存在する場合、帯体の他端にのみ余分が存在する場合が含まれる。
【００１８】
〔発明２〕  さらに、発明２の弦楽器保持補助具は、発明１の弦楽器保持補助具において、さらに、前記帯体のうち前記弦楽器の周面に接する面にストッパが形成されている。
【００１９】
このような構成であれば、帯体のうち弦楽器の周面に接する面にストッパが形成されているので、弦楽器の周面に帯体を巻き掛けた場合に、ストッパにより帯体が弦楽器から脱落しにくい。
【発明の効果】
【００２０】
以上説明したように、発明１の弦楽器保持補助具によれば、フックでサウンドホールの周縁を、帯体で弦楽器の周面をそれぞれ支持するので、従来に比して、サウンドホールの周縁への負担を低減することができ、サウンドホールの周縁を傷つける可能性を低減することができるという効果が得られる。また、帯体で弦楽器の周面を支持するとともにプレイヤの両肩に帯体を架け渡して弦楽器全体を保持するので、従来に比して、姿勢をある程度固定することができ、初心者であっても比較的正しい姿勢で弦楽器を保持することができるという効果が得られる。さらに、サウンドホールが形成された本体に突起部材を設けなくてもすむので、従来に比して、音質に影響を与えにくく、音質を損なう可能性を低減することができるという効果が得られる。さらに、サウンドホールの周縁にフックを引っかけ、弦楽器の周面に帯体を巻き掛けるだけでよいので、従来に比して、取り付けが容易であるという効果が得られる。
【００２１】
さらに、発明２の弦楽器保持補助具によれば、弦楽器の周面に帯体を巻き掛けた場合に、ストッパにより帯体が弦楽器から脱落しにくいので、帯体で弦楽器の周面をしっかりと支持することができるという効果が得られる。
【図面の簡単な説明】
【００２２】
【図１】弦楽器保持補助具１００の構成を示す図である。
【図２】弦楽器保持補助具１００を装着した状態を示す図である。
【図３】サウンドホール１２の周縁１２ａにフック４０ａを引っかけた状態を示す図である。
【図４】弦楽器１０の周面にベルト４２を巻き掛けた状態を示す図である。
【図５】ヘッド１８にホルダ４８を固定した状態を示す図である。
【発明を実施するための形態】
【００２３】
以下、本発明の実施の形態を図面を参照しながら説明する。図１ないし図５は、本発明に係る弦楽器保持補助具の実施の形態を示す図である。
【００２４】
まず、本実施の形態に係る弦楽器保持補助具１００の構成を説明する。
図１は、弦楽器保持補助具１００の構成を示す図である。図１（ａ）は、弦楽器保持補助具１００の正面図である。図１（ｂ）は、弦楽器保持補助具１００の背面図である。
【００２５】
図２は、弦楽器保持補助具１００を装着した状態を示す図である。
弦楽器保持補助具１００は、図１に示すように、プレイヤが弦楽器１０を保持することを補助する補助具であって、ストラップやショルダーベルト等として構成されている。
【００２６】
弦楽器１０は、図２に示すように、正面にサウンドホール１２が形成された本体１４と、本体１４に一端が取り付けられたネック１６と、ネック１６の他端に取り付けられたヘッド１８と、サウンドホール１２を跨ぎヘッド１８および本体１４の間に張架された弦２０とを有して構成されている。弦楽器１０としては、例えば、ウクレレやクラシックギター等を用いることができる。
【００２７】
弦楽器保持補助具１００は、図１および図２に示すように、Ｌ字型のフック部材４０と、フック部材４０に取り付けられた布製のベルト４２とを有して構成されている。
【００２８】
フック部材４０は、サウンドホール１２の周縁１２ａに引っかけるフック４０ａと、フック４０ａから弦楽器１０の正面に沿って斜め左下に延出し弦楽器１０の周面に接するように直角に屈曲するＬ字金具４０ｂとを有して構成されている。
【００２９】
Ｌ字金具４０ｂのうち弦楽器１０の周面に接する棒体４０ｃには、ベルト４２の一端４２ａが巻き付けられている。また、ベルト４２のうち弦楽器１０の周面に接する面には、ストッパ４２ｂが形成されている。そして、ベルト４２は、弦楽器１０の周面を支持して巻き掛けられる。
【００３０】
弦楽器保持補助具１００は、さらに、ベルト４２の他端を折り返して形成された円環部４２ｃの開口箇所を締着しベルト４２の長さを調整する長さ調整具４４と、ベルト４２の円環部４２ｃに取り付けられた革製の取付具４６と、取付具４６の先端４６ａに取り付けられたホルダ４８とを有して構成されている。
【００３１】
ホルダ４８は、取付具４６の先端４６ａに長さ方向中央部が結びつけられた紐４８ａと、中央部から分かれる２本の紐４８ａを締着し紐４８ａの長さを調整するアジャスタボール４８ｂとを有して構成されている。
【００３２】
次に、弦楽器保持補助具１００の装着方法を説明する。
図３は、サウンドホール１２の周縁１２ａにフック４０ａを引っかけた状態を示す図である。
【００３３】
図４は、弦楽器１０の周面にベルト４２を巻き掛けた状態を示す図である。
図５は、ヘッド１８にホルダ４８を固定した状態を示す図である。
【００３４】
まず、図３に示すように、サウンドホール１２の周縁１２ａにフック４０ａを引っかけると、フック４０ａから弦楽器１０の正面に沿ってＬ字金具４０ｂが延出し弦楽器１０の周面に接するように直角に屈曲しているので、図４に示すように、Ｌ字金具４０ｂの棒体４０ｃに取り付けられたベルト４２を弦楽器１０の周面に巻き掛けることができる。
【００３５】
そして、プレイヤの首の裏側を通じてプレイヤの両肩にベルト４２を架け渡し、図５に示すように、ベルト４２に取り付けられたホルダ４８をヘッド１８に固定する。これにより、フック４０ａでサウンドホール１２の周縁１２ａを、ベルト４２で弦楽器１０の周面をそれぞれ支持しながら、プレイヤは、弦楽器１０全体を保持することができる。
【００３６】
このようにして、本実施の形態では、弦楽器保持補助具１００は、サウンドホール１２の周縁１２ａに引っかけるフック４０ａ、およびフック４０ａから弦楽器１０の正面に沿って延出し弦楽器１０の周面に接するように直角に屈曲するＬ字金具４０ｂを有するフック部材４０と、Ｌ字金具４０ｂのうち弦楽器１０の周面に接する棒体４０ｃに一端４２ａが取り付けられ、弦楽器１０の周面を支持して巻き掛けられるベルト４２と、ベルト４２の他端に取り付けられ、ヘッド１８に固定されるホルダ４８とを備える。
【００３７】
これにより、フック４０ａでサウンドホール１２の周縁１２ａを、ベルト４２で弦楽器１０の周面をそれぞれ支持するので、従来に比して、サウンドホール１２の周縁１２ａへの負担を低減することができ、サウンドホール１２の周縁１２ａを傷つける可能性を低減することができる。
【００３８】
また、ベルト４２で弦楽器１０の周面を支持するとともにプレイヤの両肩にベルト４２を架け渡して弦楽器１０全体を保持するので、従来に比して、姿勢をある程度固定することができ、初心者であっても比較的正しい姿勢で弦楽器１０を保持することができる。
【００３９】
さらに、サウンドホール１２が形成された本体１４に突起部材を設けなくてもすむので、従来に比して、音質に影響を与えにくく、音質を損なう可能性を低減することができる。
【００４０】
さらに、サウンドホール１２の周縁１２ａにフック４０ａを引っかけ、弦楽器１０の周面にベルト４２を巻き掛けるだけでよいので、従来に比して、取り付けが容易である。
【００４１】
さらに、弦楽器１０がウクレレである場合において起立して演奏するときは、弦楽器１０を腕で挟む必要があるところ、弦楽器１０を腕で挟むと滑りやすく、プレイヤに負担がかかるという問題もあった。これに対し、本実施の形態では、ベルト４２で弦楽器１０の周面を支持するとともにプレイヤの両肩にベルト４２を架け渡して弦楽器１０全体を保持するので、滑りにくく、プレイヤへの負担を低減することができる。
【００４２】
さらに、本実施の形態では、ベルト４２のうち弦楽器１０の周面に接する面には、ストッパ４２ｂが形成されている。
【００４３】
これにより、弦楽器１０の周面にベルト４２を巻き掛けた場合に、ストッパ４２ｂによりベルト４２が弦楽器１０から脱落しにくいので、ベルト４２で弦楽器１０の周面をしっかりと支持することができる。
【００４４】
本実施の形態において、Ｌ字金具４０ｂは、発明１の屈曲部材に対応し、ベルト４２は、発明１または２の帯体に対応している。
【００４５】
なお、上記実施の形態において、ホルダ４８は、ヘッド１８に固定したが、これに限らず、ネック１６に固定することもできる。
【００４６】
また、上記実施の形態においては、ベルト４２の他端を折り返して形成された円環部４２ｃの開口箇所に長さ調整具４４を設けたが、これに限らず、長さ調整具４４および取付具４６を設けず、ベルト４２の他端にそのままホルダ４８を取り付けてもよい。
【００４７】
また、上記実施の形態においては、本発明を弦楽器１０に適用したが、これに限らず、本発明の主旨を逸脱しない範囲で他の場合にも適用可能である。
【符号の説明】
【００４８】
１００…弦楽器保持補助具、  １０…弦楽器、  １２…サウンドホール、  １２ａ…周縁、  １４…本体、  １６…ネック、  １８…ヘッド、  ２０…弦、  ４０…フック部材、  ４０ａ…フック、  ４０ｂ…Ｌ字金具、  ４０ｃ…棒体、  ４２…ベルト、  ４２ａ…一端、  ４２ｂ…ストッパ、  ４２ｃ…円環部、  ４４…長さ調整具、  ４６…取付具、  ４６ａ…先端、  ４８…ホルダ、  ４８ａ…紐、  ４８ｂ…アジャスタボール
【図１】
2010282106.tif 000003
【図２】
2010282106.tif 000004
【図３】
2010282106.tif 000005
【図４】
2010282106.tif 000006
【図５】
2010282106.tif 000007